(57)【要約】【課題】単純マトリクスディスプレイをＰＷＭ制御する場合に、信号電圧の立ち上がり時（もしくは、立ち下がり時）に発生するノイズ電圧が、画面表示上に与える影響を実質的に無くすこと。【解決手段】走査電極Ｙ１〜Ｙ４が順次走査されるそれぞれの走査期間Ｔｉに、前寄せＰＷＭ信号電圧が印加される信号電極と後寄せＰＷＭ信号電圧が印加される信号電極とをほぼ等しい数に設定する。【選択図】　　　　図３
2004145186.tif 000002
【特許請求の範囲】
【請求項１】
ＰＷＭ制御される単純マトリクスディスプレイの表示駆動方法において、
走査電極が順次走査されるそれぞれの走査期間に、前寄せＰＷＭ信号電圧が印加される信号電極と後寄せＰＷＭ信号電圧が印加される信号電極とがほぼ等しい数に設定されることを特徴とする表示駆動方法。
【請求項２】
前記前寄せＰＷＭ信号電圧が印加される信号電極と後寄せＰＷＭ信号電圧が印加される信号電極とは交互に設定されることを特徴とする、請求項１記載の表示駆動方法。
【請求項３】
前記ＰＷＭ信号電圧は、奇数番走査電極に対して後寄せＰＷＭ信号電圧であり偶数番走査電極に対して前寄せＰＷＭ信号電圧である後／前寄せ組み合わせと、奇数番走査電極に対して前寄せＰＷＭ信号電圧であり偶数番走査電極に対して後寄せＰＷＭ信号電圧である前／後寄せ組み合わせとのいずれかになるように印加されることを特徴とする、請求項１、２記載の表示駆動方法。
【請求項４】
前記ＰＷＭ信号電圧及び前記走査電極に印加する走査電圧を、フレーム周期に所定の関係で同期させて交流化することを特徴とする、請求項１〜３記載の表示駆動方法。
【請求項５】
静電容量結合性の表示素子を介在して互いに直交するように複数の信号電極及び複数の走査電極が設けられている単純マトリクスディスプレイと、
前記複数の走査電極を順次走査して走査電圧を供給する走査側駆動部と、
該走査側駆動部の走査に同期して、前記信号電極の各々に前寄せＰＷＭ信号電圧と後寄せＰＷＭ信号電圧のいずれかであるＰＷＭ信号電圧を供給する信号側駆動部とを有し、
前記信号側駆動部は、走査電極が順次走査されるそれぞれの走査期間に、全信号電極のうちのほぼ半数の信号電極に前寄せＰＷＭ信号電圧を印加し、残りの信号電極に後寄せＰＷＭ信号電圧を印加することを特徴とする表示装置。
【請求項６】
前記信号側駆動部は、前記前寄せＰＷＭ信号電圧が印加される信号電極と前記後寄せＰＷＭ信号電圧が印加される信号電極とが、交互になるように設定することを特徴とする、請求項５記載の表示装置。
【請求項７】
前記信号側駆動部は、前記ＰＷＭ信号電圧を、奇数番走査電極に対して後寄せＰＷＭ信号電圧であり偶数番走査電極に対して前寄せＰＷＭ信号電圧である後／前寄せ組み合わせと、奇数番走査電極に対して前寄せＰＷＭ信号電圧であり偶数番走査電極に対して後寄せＰＷＭ信号電圧である前／後寄せ組み合わせとのいずれかになるように印加することを特徴とする、請求項５，６記載の表示装置。
【請求項８】
前記信号側駆動部及び前記走査側駆動部は、前記ＰＷＭ信号電圧及び前記走査電極に印加する走査電圧を、フレーム周期に所定の関係で同期して交流化することを特徴とする、請求項５〜７記載の表示装置。
【発明の詳細な説明】
【０００１】
【発明の属する技術分野】
本発明は、液晶表示素子や有機ＥＬ表示素子を用いた単純マトリクスディスプレイをＰＷＭ制御するための表示駆動方法及びその表示装置に関する。
【０００２】
【従来の技術】
マトリクス型表示装置は、走査電極と信号電極との交点の各画素にトランジスタなどの非線形素子を有するアクティブマトリクス型と、その交点の各画素は非線形素子を介さず直接表示素子に接続される単純マトリクス型とに大別される。単純マトリクスディスプレイ６０は、図６に基本構造を示すように、対向する２枚の基板上に互いに直交するように複数の信号電極Ｘ（Ｘ１〜Ｘ４）及び複数の走査電極Ｙ（Ｙ１〜Ｙ４）を設けている。この信号電極及び走査電極は、通常、それぞれ多数の電極で構成されるが、ここでは各４つの場合を例に説明する。
【０００３】
単純マトリクスディスプレイは、図７のタイミングチャートに示すように、走査側駆動回路６１の走査クロック、即ち信号取り込みのラッチパルスＬＰと同期して走査電極Ｙ１〜Ｙ４に走査電圧を順番に加え、同時に信号側駆動回路６２から信号電極Ｘ１〜Ｘ４に信号電圧を加える。その際に、表示素子（例えば、液晶表示素子や有機ＥＬ表示素子等）による容量性結合のために、各走査電極と各信号電極との間にクロストーク現象が発生し、選択されている画素以外の画素にも低い電圧が印加される。単純マトリクスディスプレイの構造上、このクロストーク現象は避けられないが、通常これだけでは表示特性が大きく影響を受けることはない。
【０００４】
この走査電圧及び信号電圧の印加を、１画面分の画像データを表すフレーム毎に繰り返すことにより、ディスプレイ上に画像が表示される。
【０００５】
【発明が解決しようとする課題】
この単純マトリクスディスプレイの表示階調を制御するために、信号電極Ｘ１〜Ｘ４に印加する信号電圧をＰＷＭ（パルス幅変調；Ｐｕｌｓｅ　Ｗｉｄｔｈ　Ｍｏｄｕｌａｔｉｏｎ）制御することが行われる。この場合に、各信号電極Ｘ１〜Ｘ４には、図７の（ｉｉ）、（ｉｖ）、（ｖｉ）、（ｖｉｉｉ）に示されるように、それぞれの画素に応じて制御された幅の信号電圧が印加される。この例では、各信号電圧は、走査クロックＬＰの間隔期間Ｔｉの途中のある位置から最後まで所定の幅で後部分に印加される、後寄せの場合を示している。
【０００６】
このＰＷＭ制御では、それぞれの信号電圧の変化点（この場合は、立ち上がり点）で、図７の（ｉｉｉ）（ｖ）（ｖｉｉ）（ｉｘ）に信号電極Ｘ１〜Ｘ４に関して示すように、ノイズ電圧Ｖｎｚ−ｘ１〜Ｖｎｚ−ｘ４が発生し、このノイズ電圧Ｖｎｚ−ｘ１〜Ｖｎｚ−ｘ４は走査電極Ｙ１〜Ｙ４（主として、その時点で選択されている走査電極Ｙ）の電位を変動させる。また、走査クロックＬＰの間隔期間Ｔｉの終了時点毎に、図中▲１▼〜▲４▼で示されるようなノイズも発生する。これらのノイズ電圧Ｖｎｚ−ｘ１〜Ｖｎｚ−ｘ４によりクロストークの影響も大きくなる。
【０００７】
これらのノイズ電圧Ｖｎｚは、各フレーム毎の各走査期間（例えば、走査電極Ｙ１が選択されている走査期間）において全て同一方向の極性で発生するから、表示画面上に表示の濃淡や表示むらを引き起こしやすく、表示品位を劣化させる原因となっていた。なお、ＰＷＭ制御の信号電圧を、走査クロックＬＰの間隔期間Ｔｉの最初の部分から所定の幅だけ前部分に印加される前寄せとした場合にも、ノイズの極性が変わるだけで、同様である。
【０００８】
そこで、本発明は、ＰＷＭ制御における信号電圧の立ち上がり時、立ち下がり時に発生するノイズ電圧が、画面表示上に与える影響を実質的に無くすことができる単純マトリクスディスプレイの表示駆動方法及びその表示装置を提供することを目的とする。
【０００９】
【課題を解決するための手段】
請求項１記載の表示駆動方法は、ＰＷＭ制御される単純マトリクスディスプレイの表示駆動方法において、走査電極が順次走査されるそれぞれの走査期間に、前寄せＰＷＭ信号電圧が印加される信号電極と後寄せＰＷＭ信号電圧が印加される信号電極とがほぼ等しい数に設定されることを特徴とする。
【００１０】
請求項２記載の表示駆動方法は、請求項１記載の表示駆動方法において、前記前寄せＰＷＭ信号電圧が印加される信号電極と後寄せＰＷＭ信号電圧が印加される信号電極とは交互に設定されることを特徴とする。
【００１１】
請求項３記載の表示駆動方法は、請求項１、２記載の表示駆動方法において、前記ＰＷＭ信号電圧は、奇数番走査電極に対して後寄せＰＷＭ信号電圧であり偶数番走査電極に対して前寄せＰＷＭ信号電圧である後／前寄せ組み合わせと、奇数番走査電極に対して前寄せＰＷＭ信号電圧であり偶数番走査電極に対して後寄せＰＷＭ信号電圧である前／後寄せ組み合わせとのいずれかになるように印加されることを特徴とする。
【００１２】
請求項４記載の表示駆動方法は、請求項１〜３記載の表示駆動方法において、前記ＰＷＭ信号電圧及び前記走査電極に印加する走査電圧を、フレーム周期に所定の関係で同期させて交流化することを特徴とする。
【００１３】
請求項５記載の表示装置は、静電容量結合性の表示素子を介在して互いに直交するように複数の信号電極及び複数の走査電極が設けられている単純マトリクスディスプレイと、前記複数の走査電極を順次走査して走査電圧を供給する走査側駆動部と、該走査側駆動部の走査に同期して、前記信号電極の各々に前寄せＰＷＭ信号電圧と後寄せＰＷＭ信号電圧のいずれかであるＰＷＭ信号電圧を供給する信号側駆動部とを有し、
前記信号側駆動部は、走査電極が順次走査されるそれぞれの走査期間に、全信号電極のうちのほぼ半数の信号電極に前寄せＰＷＭ信号電圧を印加し、残りの信号電極に後寄せＰＷＭ信号電圧を印加することを特徴とする。
【００１４】
請求項６記載の表示装置は、請求項５記載の表示装置において、前記信号側駆動部は、前記前寄せＰＷＭ信号電圧が印加される信号電極と前記後寄せＰＷＭ信号電圧が印加される信号電極とが、交互になるように設定することを特徴とする。
【００１５】
請求項７記載の表示装置は、請求項５，６記載の表示装置において、前記信号側駆動部は、前記ＰＷＭ信号電圧を、奇数番走査電極に対して後寄せＰＷＭ信号電圧であり偶数番走査電極に対して前寄せＰＷＭ信号電圧である後／前寄せ組み合わせと、奇数番走査電極に対して前寄せＰＷＭ信号電圧であり偶数番走査電極に対して後寄せＰＷＭ信号電圧である前／後寄せ組み合わせとのいずれかになるように印加することを特徴とする。
【００１６】
請求項８記載の表示装置は、請求項５〜７記載の表示装置において、前記信号側駆動部及び前記走査側駆動部は、前記ＰＷＭ信号電圧及び前記走査電極に印加する走査電圧を、フレーム周期に所定の関係で同期して交流化することを特徴とする。
【００１７】
【発明の実施の形態】
以下、図面を参照して本発明の表示駆動方法及び表示装置の実施の形態について、説明する。
【００１８】
図１は本発明の実施の形態に係る表示装置の概略の構成を示す図であり、単純マトリクスディスプレイ１０、走査側駆動回路２０、信号側駆動回路３０、電源回路４０、及び制御回路５０を備えている。
【００１９】
図１において、ディスプレイ１０は、対向する２枚の基板上に互いに直交するように複数の信号電極Ｘ（Ｘ１〜Ｘ４）及び複数の走査電極Ｙ（Ｙ１〜Ｙ４）を設けている。この信号電極Ｘ及び走査電極Ｙは、通常、それぞれ数百程度の多数の電極で構成されるが、理解を容易にするために、ここでは各４つの場合を例にあげている。これらの信号電極Ｘと走査電極Ｙとの間には、液晶表示素子や有機ＥＬ表示素子が挟まれており、それらの各交点が表示画素となる。これらの各交点は静電容量で結合された構造であり、単純マトリクスディスプレイを構成している。
【００２０】
電源回路４０は、表示装置に交流化制御を行う場合に必要な６種類の電圧Ｖ０〜Ｖ５を発生し、走査側駆動回路２０、信号側駆動回路３０にそれぞれ供給する。これらの電圧は、電圧Ｖ０から電圧Ｖ５に向けて順々に高くなる（或いは低くなる）ように、各々所定の値に設定されている。なお、交流化制御を行わない場合には、必要な電圧数は少なくてよい。
【００２１】
制御回路５０は、表示データやクロック、各種の制御信号を形成し、走査側駆動回路２０、信号側駆動回路３０にそれぞれ供給する。表示データＤは、ディスプレイ１０の表示階調を制御するために、信号電極Ｘ１〜Ｘ４に印加する信号電圧のためのＰＷＭデータである。
【００２２】
本発明では、その信号電圧を、走査クロックＬＰの間隔期間の途中のある位置から最後まで所定の幅で後部分に印加される「後寄せＰＷＭ信号電圧（以下、後寄せ信号電圧）」とするか、走査クロックの間隔期間の最初の部分から所定の幅だけ前部分に印加される「前寄せＰＷＭ信号電圧（以下、前寄せ信号電圧）」とするかを、任意に選択可能にする。このために、各画素用の表示データＤは、後寄せ信号電圧のためのＰＷＭデータ（以下、後寄せデータ）Ｄ１か、或いは前寄せ信号電圧のためのＰＷＭデータ（以下、前寄せデータ）Ｄ２かのいずれかの形式で供給される。この表示データＤは信号側駆動回路３０に供給される。
【００２３】
データシフトクロックＣＫは、表示データＤをシフトするクロックで、信号側駆動回路３０に供給される。走査クロックＬＰは、走査側駆動回路２０に供給されて走査電極Ｙを走査する走査信号となり、また信号側駆動回路３０に供給されて１ライン分の表示データＤをラッチするラッチ信号となる。交流化信号ＦＲは、交流化駆動のための反転信号であり、交流化を行わない場合には不要である。
【００２４】
スタート信号ＳＴは、走査を開始する信号であり、走査側駆動回路２０に供給される。
【００２５】
走査側駆動回路２０は、スタート信号ＳＴ、走査クロックＬＰ及び交流化信号ＦＲを受けて、走査電極Ｙ１〜Ｙ４に所定の走査電圧を発生しつつ、走査クロック間隔で順次走査する。
【００２６】
信号側駆動回路３０は、図２にその内部構成が示されている。シフトレジスタ３１はシフトクロックＣＫによって表示データＤ（Ｄ１またはＤ２）を順次取り込んでシフトし、データラッチ回路は１ライン分の表示データＤがシフトレジスタ３１に格納されたときに、走査クロックＬＰによりその表示データＤをラッチする。
【００２７】
レベルシフタ３３はデータラッチ３２でラッチされた表示データＤのレベルを変換し、ドライバ３４に供給する。ドライバ３４は、レベルシフトされた表示データＤ（Ｄ１またはＤ２）にしたがって、電源回路４０からの電圧Ｖ０，Ｖ２、Ｖ３，及びＶ５により、それぞれ後寄せ信号電圧あるいは前寄せ信号電圧を発生し、信号電極Ｘ１〜Ｘ４に供給する。
【００２８】
図３は、本発明の第１の実施の形態に係る表示装置の動作を説明するタイミングチャートである。
【００２９】
図３において、走査クロックＬＰは（ｉ）のように、走査間隔Ｔｉ毎に出力され、走査電極Ｙは（ｘ）のように走査クロックＬＰに同期して走査電極Ｙ１〜Ｙ４をフレーム毎に順次繰り返して選択する。
【００３０】
一方、信号電極Ｘ１には、後寄せ信号電圧が供給されており、したがってその後寄せ信号電圧は各走査間隔Ｔｉの途中で立ち上がりその最後まで継続される。信号電極Ｘ２には、前寄せ信号電圧が供給されており、したがってその前寄せ信号電圧は各走査間隔Ｔｉの最初から供給され、途中で立ち下がる。また、信号電極Ｘ３には後寄せ信号電圧が供給されており、信号電極Ｘ４には前寄せ信号電圧が供給されている。それら各信号電圧は、その幅、立ち上がり・立ち下がりタイミングが、表示データＤに応じて、各走査間隔毎に、また各信号電極Ｘ１〜Ｘ４毎に異なる。
【００３１】
後寄せ信号電圧が供給される信号電極Ｘ１，Ｘ３には、信号電圧の立ち上がり時に、図３（ｉｉｉ）、（ｖｉｉ）に示すように、正のノイズ電圧Ｖｎｚ−ｘ１、Ｖｎｚ−ｘ３が発生し、このノイズ電圧Ｖｎｚ−ｘ１、Ｖｎｚ−ｘ３は走査電極Ｙ１〜Ｙ４（主として、選択されている走査電極Ｙ）の電位を変動させる。
【００３２】
前寄せ信号電圧が供給される信号電極Ｘ２，Ｘ４には、信号電圧の立ち下がり時に、図３（ｖ）、（ｉｘ）に示すように、負のノイズ電圧Ｖｎｚ−ｘ２、Ｖｎｚ−ｘ４が発生し、このノイズ電圧Ｖｎｚ−ｘ２、Ｖｎｚ−ｘ４は、やはり走査電極Ｙ１〜Ｙ４（主として、選択されている走査電極Ｙ）の電位を変動させる。
【００３３】
走査期間Ｙ１について見ると、後寄せ信号電圧（信号電極Ｘ１，Ｘ３）の立ち上がり時に、図３（ｉｉｉ）（ｖｉｉ）に示すように正のノイズ電圧Ｖｎｚ−ｘ１、Ｖｎｚ−ｘ３が発生し、一方、前寄せ信号電圧（信号電極Ｘ２，Ｘ４）の立ち下がり時に、図３（ｖ）（ｉｘ）に示すように負のノイズ電圧Ｖｎｚ−ｘ２、Ｖｎｚ−ｘ４が発生する。
【００３４】
このように、信号電圧の立ち上がりあるいは立ち下がりの変化点でノイズ電圧Ｖｎｚ−ｘ１〜Ｖｎｚ−ｘ４は発生するものの、信号電極毎にそのノイズ電圧の極性が逆になる。したがって、走査電極Ｙ１の選択されている走査期間では、各々のノイズ電圧Ｖｎｚ−ｘ１〜Ｖｎｚ−ｘ４は互いにその影響をうち消している。走査電極Ｙ２〜Ｙ４の選択されている走査期間においても同様に各々ノイズ電圧による影響をうち消している。これにより、ノイズ電圧により従来発生していた表示の濃淡やむらを実質的に無くすことができる。
【００３５】
また、走査クロックＬＰの間隔期間Ｔｉの終了時点で信号電圧の立ち上がり数と立ち下がり数とがほぼ等しくなるので、従来の図７の▲１▼〜▲４▼で示したような、間隔期間Ｔｉの終了時点でのノイズ電圧は相互に打ち消される。
【００３６】
また、隣接画素同士は、同じような色調になることが多く、したがってＰＷＭ信号電圧のパルス幅もほぼ等しいので、従来ではノイズ電圧が同時に同方向に発生し、画質に大きな影響を与えていた。本発明の実施例のように信号電極Ｘ１〜Ｘ４の前寄せ、後寄せを交互に行うことにより、同様な信号幅となることが多い隣接画素のノイズが正負にかつ時間的に分散される。したがって、ノイズの抑制効果がより期待できる。
【００３７】
更に、図３において、信号電極Ｘ１、Ｘ３については、第１フレームで後寄せ信号電圧とし第２フレームで前寄せ信号電圧とし、一方、信号電極Ｘ３、Ｘ４については、第１フレームで前寄せ信号電圧とし第２フレームで後寄せ信号電圧とすることができる。このようにすることにより、フレーム間（例えば、第１フレームと第２フレーム間）でも、各信号電極（例えば、信号電極Ｘ１）で発生するノイズ電圧Ｖｎｚによる影響をうち消すことができる。この各々の信号電極でのノイズ電圧Ｖｎｚによる影響のうち消しは、任意数のフレーム毎（即ち１フレーム毎、２フレーム毎など）でもよく、また、所定の期間内に後寄せ信号電圧と前寄せ信号電圧の回数がほぼ等しくなるようにしてもよい。この考え方は、本発明の他の実施の形態においても、同様に適用することができる。
【００３８】
図４は、本発明の第２の実施の形態に係る表示装置の動作を説明するタイミングチャートである。
【００３９】
図４において、信号電極Ｘ１，Ｘ３へのＰＷＭ信号電圧は、走査電極Ｙ１，Ｙ３、即ち奇数番走査電極が選択されている走査期間に対して後寄せであり、走査電極Ｙ２，Ｙ４、即ち偶数番走査電極が選択されている走査期間に対してに前寄せである後／前寄せ組み合わせの信号電圧（以下、後／前寄せ信号電圧）を発生させている。また、信号電極Ｘ２，Ｘ４へのＰＷＭ信号電圧は、走査電極Ｙ１，Ｙ３、即ち奇数番走査電極が選択されている走査期間に対して前寄せであり、走査電極Ｙ２，Ｙ４、即ち偶数番走査電極が選択されている走査期間に対してに後寄せである前／後寄せ組み合わせの信号電圧（以下、前／後寄せ信号電圧）を発生させている。
【００４０】
この場合のノイズ電圧Ｖｎｚは、図４（ｉｉｉ）（ｖｉｉ）に信号電極Ｘ１、Ｘ３に関して示すように、各フレームでは、走査にしたがって正−負−正−負のノイズ電圧Ｖｎｚ−ｘ１、Ｖｎｚ−ｘ３が発生する。また、図４（ｖ）（ｉｘ）に信号電極Ｘ２、Ｘ４に関して示すように、各フレームでは、走査にしたがって負−正−負−正のノイズ電圧Ｖｎｚ−ｘ２、Ｖｎｚ−ｘ４が発生する。
【００４１】
このように、信号電圧の立ち上がりあるいは立ち下がりの変化点でノイズ電圧Ｖｎｚ−ｘ１〜Ｖｎｚ−ｘ４は発生するものの、信号電極毎に走査電極Ｙ１〜Ｙ４対応でそのノイズ電圧Ｖｎｚ−ｘ１〜Ｖｎｚ−ｘ４の極性が逆になる。したがって、各走査電極Ｙ１〜Ｙ４の選択されている走査期間では、ノイズ電圧Ｖｎｚ−ｘ１〜Ｖｎｚ−ｘ４は互いにその影響をうち消している。第２フレーム以降も同様である。
【００４２】
この第２の実施の形態では、第１の実施の形態と同様に、ノイズ電圧Ｖｎｚの影響をうち消すことができる。更に、信号電極に応じて後／前寄せ信号電圧と前／後寄せ信号電圧とを選択しているから、走査クロックＬＰの間隔期間Ｔｉの各終了時点では信号電極の信号電圧が変化しない。したがって、ＰＷＭ信号電圧の変化点が減少するから、信号電圧の変化に基づくノイズによる電源電圧やグランド電圧に対する影響を小さくできる。
【００４３】
図５は、本発明の第３の実施の形態に係る表示装置の動作を説明するタイミングチャートである。
【００４４】
図５において、図４の第２の実施の形態に、交流化信号による制御を付加したものである。
【００４５】
この図５では、（ｉ）のように、フレーム毎に交流化信号ＦＲを正、負に切り換えて交流化を行っている。このため、交流化信号ＦＲが正の期間では、信号電極Ｘへの信号電圧は、点灯電圧Ｖ０、消灯電圧Ｖ２であり、走査電極Ｙには選択時に電圧Ｖ５、非選択時に電圧Ｖ１が印加される。一方交流化信号ＦＲが負の期間では、信号電極Ｘへの信号電圧は、点灯電圧Ｖ５、消灯電圧Ｖ３であり、走査電極Ｙには選択時に電圧Ｖ０、非選択時に電圧Ｖ４が印加される。
【００４６】
この例では、交流化信号ＦＲの周期と、後／前寄せ信号電圧あるいは前／後寄せ信号電圧とを同期させている。したがって、信号電極Ｘ１，Ｘ３（但し、信号電極Ｘ３については図示省略している）へのＰＷＭ信号電圧は、走査電極Ｙ１，Ｙ３、即ち奇数番走査電極が選択されている走査期間に対して後寄せであり、走査電極Ｙ２，Ｙ４、即ち偶数番走査電極が選択されている走査期間に対して前寄せである後／前寄せ信号電圧を発生させている。また、信号電極Ｘ２，Ｘ４（但し、信号電極Ｘ４については図示省略している）へのＰＷＭ信号電圧は、走査電極Ｙ１，Ｙ３、即ち奇数番走査電極が選択されている走査期間に対して前寄せであり、走査電極Ｙ２，Ｙ４、即ち偶数番走査電極が選択されている走査期間に対して後寄せである前／後寄せ信号電圧を発生させている。
【００４７】
この場合のノイズ電圧Ｖｎｚは、図５（ｉｖ）に信号電極Ｘ１に関して示すように各フレームでは、正−負−正−負のノイズ電圧Ｖｎｚ−ｘ１が発生する。また、図５（ｖｉ）に信号電極Ｘ２に関して示すように各フレームでは、負−正−負−正のノイズ電圧Ｖｎｚ−ｘ２が発生する。なお、例えば第１、第２フレームでは交流化に伴い、電圧極性が反転しているので、ノイズ電圧Ｖｎｚ−ｘ１、Ｖｎｚ−ｘ２は画面表示上への影響において同方向である。
【００４８】
したがって、信号電極毎に走査電極Ｙ１〜Ｙ４対応でそのノイズ電圧Ｖｎｚ−ｘ１〜Ｖｎｚ−ｘ４の極性が逆になる。図５（ｉｖ）（ｖｉ）は、走査電極Ｙへのノイズの影響を示しているが、交流化制御に伴い前述のような選択・非選択に応じてその走査電圧が異なるので、理解を容易にするためにイメージ図として示している。
【００４９】
これにより、図５に破線で示すように、走査電極Ｙ１の選択されている走査期間では、第１電極Ｘ１〜Ｘ４のノイズ電圧Ｖｎｚ−Ｘ１〜Ｖｎｚ−Ｘ４がその影響をうち消し合う。
【００５０】
なお、交流化信号ＦＲの周期と、後／前寄せ信号電圧あるいは前／後寄せ信号電圧とは、図５の例に限られることなく、それぞれ適切な周期を選択することができる。
【００５１】
この第３の実施の形態では、第２の実施の形態と同様の効果を得ることができ、更に、交流化駆動の表示においても、駆動電圧の極性変更に関わらず、ノイズ電圧による影響を軽減することができる。
【００５２】
【発明の効果】
本発明によれば、走査電極が順次走査されるそれぞれの走査期間に、前寄せＰＷＭ信号電圧が印加される信号電極と後寄せＰＷＭ信号電圧が印加される信号電極とをほぼ等しい数に設定するから、ＰＷＭ制御における信号電圧の立ち上がり（あるいは、立ち下がり）に発生するノイズ電圧によって画面表示上に与える影響が、相互にうち消される。これにより、ノイズ電圧により従来発生していた表示の濃淡やむらを実質的に無くすことができる。
【００５３】
また、前記前寄せと前記後寄せの設定は、前寄せ信号電圧が印加される信号電極と後寄せ信号電圧が印加される信号電極とが交互になるように行われるから、同様な信号幅となることが多い隣接画素のノイズが正負にかつ時間的に分散される。したがって、ノイズの抑制効果がより期待できる。
【００５４】
また、ＰＷＭ信号電圧は、後／前寄せ信号電圧と前／後寄せ信号電圧とを設定することにより、ＰＷＭ信号電圧の変化点が減少するから、電源電圧やグランド電圧に対する影響を小さくできる。更に、交流化駆動の表示においても、駆動電圧の極性変更に関わらず、ノイズ電圧による影響を同様に軽減することができる。
【図面の簡単な説明】
【図１】本発明に係る表示装置の構成を示す図。
【図２】図１の信号側駆動回路の構成図。
【図３】第１の実施の形態に係る表示装置のタイミングチャート。
【図４】第２の実施の形態に係る表示装置のタイミングチャート。
【図５】第３の実施の形態に係る表示装置のタイミングチャート。
【図６】従来の単純マトリクスディスプレイの基本構造を示す図。
【図７】図６のタイミングチャート。
【符号の説明】
１０　単純マトリクスディスプレイ
２０　走査側駆動回路
３０　信号側駆動回路
３１　シフトレジスタ
３２　データラッチ回路
３３　レベルシフタ
３４　ドライバ
４０　電源回路
５０　制御回路
ＬＰ　走査クロック（ラッチパルス）
Ｄ（Ｄ１，Ｄ２）　表示データ
Ｘ（Ｘ１〜Ｘ４）　信号電極
Ｙ（Ｙ１〜Ｙ４）　走査電極
Ｖｎｚ　ノイズ電圧
ＦＲ　交流化信号
【図１】
2004145186.tif 000003
【図２】
2004145186.tif 000004
【図３】
2004145186.tif 000005
【図４】
2004145186.tif 000006
【図５】
2004145186.tif 000007
【図６】
2004145186.tif 000008
【図７】
2004145186.tif 000009